【事件の表示】
　平成５年特許願第１９７９５３号「カラー画像形成装置」拒絶査定に対する審判事件［平成７年１月３１日出願公開、特開平７−２８３４４］について、次のとおり審決する。
【結　論】
　本件審判の請求は、成り立たない。
【理　由】
１．手続の経緯・本願発明
　本願は、平成５年７月１４日の出願であって、その請求項１ないし５に係る発明は平成１３年６月２１日付け手続補正書によって補正された明細書および図面の記載からみて、その特許請求の範囲の請求項１ないし５に記載された次のとおりのものである。
　以下、それぞれ「本願発明１」、「本願発明２」、「本願発明３」、「本願発明４」、「本願発明５」という。
「【請求項１】 像形成体に対し、潜像形成・像露光・現像・転写よりなる一連の工程を各色毎に行ない転写材支持体に支持された転写材上に各色のトナー像を重ね合わせて多色像を形成するカラー画像形成装置において、前記転写材支持体が、前記転写の作用部と接触することなく迂回するように張り渡された無端ベルトを含むことを特徴とするカラー画像形成装置。
【請求項２】 前記無端ベルトは転写材の幅方向に従って複数本並列して設けられていることを特徴とする請求項１記載のカラー画像形成装置。
【請求項３】 前記転写材を無端ベルト上に静電吸着により支持することを特徴とする請求項１または２記載のカラー画像形成装置。
【請求項４】 前記転写材を無端ベルト上に空気吸引により支持することを特徴とする請求項１または２記載のカラー画像形成装置。
【請求項５】 繰り返し搬送されるドラムまたはベルト状の感光体と、感光体表面を一様に帯電する帯電器と、帯電された感光体上に像露光または光信号を照射して、静電像を形成する像照射装置と、各色に対応する複数の現像器を有しこの現像器の１つを選択的に使用して当該色のトナー像を形成する現像装置と、感光体上に形成されたトナー像を転写材上に転写する転写装置と、該転写装置の転写作用部に転写材を繰り返し搬送する転写材支持装置とを有し、前記転写材支持装置は、複数の支持ローラにより張架され感光体の搬送速度と同期した速度で搬送される無端ベルトと、この無端ベルト上に前記転写材を吸着させるための吸着装置とを有し、前記無端ベルトは前記転写装置の転写作用部と接触することなく迂回するように張架され前記転写作用部に転写材のみを搬送するようにしたことを特徴とするカラー画像形成装置。」
２．引用刊行物記載の発明
　原査定の拒絶の理由において引用された引用文献１〜２には、下記の事項が記載されている。
［引用文献１：特開昭５９−２１２８６３号公報］
　引用文献１には、
ａ．「回転する感光体の表面に静電気的に吸着されたトナー像を、静電気的に用紙に転写するタイプの電子写真装置に於いて、複数本の支持ロール間に絶縁性無端ベルトを張設し、該複数本の支持ロール中の少くとも一本を駆動ロールとし、該絶縁性無端ベルトに対し、電圧を印加した導電性ブラシを接触させて用紙搬送手段と成し、且つ該導電性ブラシを前記感光体表面に接触させて転写器と成し、該絶縁性無端ベルトに静電気的に用紙を吸着させて搬送せしめ、該用紙を前記感光体と該導電性ブラシの間に供給して転写を行い、該絶縁性無端ベルトにて静電気的に用紙を剥離することを特徴とする電子写真装置。」（特許請求の範囲）、
ｂ．「而して、用紙搬送ベルト装置１０は、複数本のベルト支持ロール１１，１２，１３，１４，１５と、これ等の支持ロール間に張設された複数条の絶縁材（例えば、ポリエステル樹脂、ポリカーボネート樹脂）製搬送ベルト１６と、ベルト支持ロール１３，１４間に於いて搬送ベルト１６の上面に摺接すると同時に、感光体１の下面にも軽く摺接する帯電ブラシ５と、ベルト支持ロール１３，１５に摺接する剥離板１７，１８とで構成されている（第１図、第３図参照）。」（第２頁左下欄第１９行〜同頁右下欄第７行）（用紙搬送ベルト及び用紙搬送ベルト装置の説明箇所）、
ｃ．「本実施例は、前記の様に構成されており、回転する感光体１に帯電ブラシ３が回転接触して、感光体１の帯電が行われ、露光部Ａに於いて露光が行われる。・・・露光後の像電位は、５００〜１０００Ｖであり、現像器４部に到った感光体１上の静電潜像は、現像によって顕像化される。・・・この間、各ベルト支持ロール１１〜１５、搬送ベルト１６、および帯電ブラシ５も回転しており、感光体１の回転とタイミングを合わせて、ベルト支持ロール１１が下降して、そのフイードロール１１ａが、給紙トレイ１９内の用紙Ｐの上面に接触する。搬送ベルト１６は、帯電ブラシとの接触によって数ＫＶに帯電しており、フイードロール１１ａと接触して搬出された最上層の用紙Ｐは、その先端側から、静電気的に搬送ベルト１６に吸着され、搬送ベルト１６の回転に従って搬送される。・・・搬送ベルト１６によって搬送された用紙はベルト支持ロール１３部に到り、剥離板１７によって搬送ベルト１６から剥離され、感光体１と接触しつつ、転写部Ｂ、即ち感光体1と帯電ブラシ５の間に進入する。帯電ブラシ５に接触した用紙は、高電位に帯電され、その極性を同極性に帯電した感光体１に付着しているトナー像は、用紙側に強く吸着される。・・・その後、ベルト支持ロール１４部に到って、用紙は搬送ベルト１６に吸着されて、感光体１から剥離され、転写されたトナー像を担持する用紙は、ベルト支持ロール１５部に到り、剥離板１８によって搬送ベルト１６から剥離され、熱定着ロール２０内に送給される。そして、定着完了した用紙は、排紙トレイ２１内に排出される。・・・又、転写部Ｂを通過した感光体１は、クリーニング装置６部に到り、残留トナー除去され、更に帯電ブラシ３側へ移行し、次の帯電が行われる。」（第３頁右上欄第１２行〜同頁右下欄第１８行）（実施例・画像形成装置の無端搬送ベルト・転写部Ｂの説明箇所）、
ｄ．「又、第５図に示す様に、色違いのトナーを備える現像器４Ａ，４Ｂを配設することにより、同一用紙に二色の画像を得ることができる。即ち、先ず感光体１の最初の回転では、現像器４Ａのみを動作させて、第１色目の現像、転写を行い、引き続く感光体１の回転に対応して、剥離板１８とべルト支持ロール１５との係合を解除し、転写済用紙を剥離することなく、搬送ベルト１６と共に回転させ、一方では、現像器４Ｂのみを動作させて第２色目の現像を行い、前記転写済用紙に対して再度転写を行う。この後、剥離板１８をベルト支持ロール１５に係合させて、転写済用紙の剥離を行い、定着後、排紙トレイ２１に排出する。斯くして、同一用紙に二色の画像を得ることができるのである。この場合、二色の画像にずれが生じない様に搬送ベルト１６の周長を選択しなければならない。」（第４頁右上欄第１５行〜同頁左下欄第１０行）（実施例・画像形成装置の多色カラー画像形成の説明箇所）、
ｅ．「以上の説明から明らかな様に、本発明では、・・・絶縁性無端ベルトは、用紙搬送および転写後の剥離手段として兼用化され、導電性ブラシは、絶縁性無端ベルト用帯手段および転写器として兼用化され、・・・部品点数が少く、全体として小型化され、製作費が廉価となる。又、絶縁性無端ベルトに静電気的に用紙を吸着させて搬送することにより、紙詰りの無い確実な搬送が保証され、紙粉発生も著しく減少する。更に、絶縁性無端ベルトで静電気的に用紙を剥離することにより、感光体の損傷を防止することができ、常に良好な再生画像を得ることが可能である。」（第４頁左下欄第１１行〜同頁右下欄第９行）（発明の効果欄）と記載され、
ｆ．多色カラー画像形成装置に係る第５図には、
最上部に位置する感光体（１）、
感光体の下に位置し、感光体と転写部Ｂで接触するロール状の帯電ブラシ（５）、
帯電ブラシの下に位置する無端搬送ベルト（１６）、
最下部に位置する給紙トレイ（１９）、
感光体の左側に位置し、それぞれ色違いのトナーを備える２台の現像器（４Ａ、４Ｂ）などからなる『多色カラー画像形成装置の全体構成』、
上の感光体と、下の帯電器（ロール状帯電ブラシ）とが近接する部位にあり、両者の間を用紙が横切る時に、感光体表面のトナー像が用紙に転写される様に形成されている『転写部Ｂの構成』、
左右二つのベルト支持ロールと中間のロール状帯電ブラシにより略Ｍ字状ルートが形成され、ルート谷部で、転写部Ｂと接触することなく大きく下側に迂回する様に形成されている『無端搬送ベルトのルート構成』が示されている。
 ｇ．なお、引用文献１の「産業上の利用分野」欄の従来技術の説明箇所には、
「感光体表面上のトナー像を用紙に転写するには、感光体表面に対向配置したコロナ放電器と感光体との間に、用紙を送り込み、コロナイオンによって用紙を帯電させて用紙側にトナー像引き付け、次いで静電気的、又は力学的に、感光体から用紙を剥離して行っている。・・・斯かる剥離手段によって剥離された用紙は、例えば真空吸引式の搬送ベルトによって定着装置へ給送されるのである。然るに、前記各剥離手段および用紙搬送手段は、機構が、複雑なため、システムとしての信頼性が低下し、剥離ミス、紙語り等のトラブルが生じ易く、製作費が高価である・・・という問題がある。」（第１頁右下欄第１３行〜第２頁左上欄第１９行）との記載により「真空吸引式の搬送ベルトによる用紙搬送手段」が説明されている。
［引用文献２：特開昭６１−６７０４９号公報］
　引用文献２には、
ｈ．「像担持体ドラムに臨んで傾動可能に設けられる支持フレームを備え、同支持フレームに対して転写電極及び搬送ベルト等の搬送手段を組付ける複写機等の通紙装置において、電気絶縁性樹脂で成形する前記支持フレームの上面に、前記転写電極を端部から摺動的に取付けることができる‘Ｕ’字状断面溝部を形成し、前記転写電極に高電圧を印加する高電圧発生器を前記溝部の直下に組付け、前記転写電極の後端部のコネクタを前記高電圧発生器の端面コネクタに会合することを特徴とする複写機等の通紙装置。」（特許請求の範囲）、
ｉ．「前記支持フレーム４の上面両側には記録紙２の幅方向に整列しかつ同記録紙２の移動方向に延長した複数のガイドリブ１９Ａ，１９Ｂが複写機体に成形してあり、これらのガイドリブ１９Ａ，１９Ｂの間に上面を開放した真空吸引箱２０が成形される。この真空吸引箱２０の内部には真空圧を発生する羽根車２１を支持するモータ２２が位置され、同真空吸引箱２０の排気は前記高電圧発生器１４に面して開□された排気口２３から機内へ吹出される。したがって、発熱する高電圧発生器１４は真空吸引箱２０の排気口２３からの冷却空気により奪熱され、その温度上昇を防止される。
　また、前記支持フレーム４の中央部には、第２図示のように、真空吸引箱２０を包囲する３本の無端状搬送ベルト２４が掛渡される。これらの搬送ベルト２４は、前記支持軸５に固定する駆動ローラ２５と、前記真空吸引箱２０を挟んで駆動ローラ２５に対向設置する一対の従動ローラ２６，２７との間に掛渡すもので、駆動ローラ２５の駆動により記録紙２を定着装置（図示せず）に向って搬送する。」（第２頁右下欄末行〜第３頁右上欄第１行）（真空吸引箱を含む記録紙搬送部の説明箇所）と記載され、
ｊ．複写機の通紙装置に係る第１図には、
複数条の無端状搬送ベルト２４が掛け渡された通紙搬送部、
それら無端状搬送ベルトの直下に配設された真空吸引箱２０、
像担持体ドラムと接触・転写の後、斜め下方に曲がって、通紙搬送部に引き寄せられる記録紙２などが示されている。
３．対比および当審の判断
３−１．本願発明１について
 ・本願発明１に於ける「転写の作用部」については、明細書中に特段の定義は無いが、
請求項１に於ける「転写材支持体が、前記転写の作用部と接触することなく迂回するように張り渡された無端ベルトを含む」との記載、及び、
明細書中の関連する下記の記載（ア）〜（ウ）及び第１図から、
「上の感光体と、下の帯電器（コロナ放電器）とが近接する部位にあり、両者の間を転写材が横切る時に、感光体表面のトナー像が転写材に転写される様に形成されている部分」を意味していることが明らかである。
（ア・第１０段落）「上記した構成により、無端ベルトは転写材を支持して、転写材を所定回数繰り返し転写作用部に搬送する。転写の作用時において、無端ベルトは転写の作用部から迂回した位置にあるため、転写材のみが転写の作用部に提供される。例えば、通常、転写装置としてはコロナ放電装置、転写ローラ装置が使用されるが、従来の転写ドラムの構成とは異なり、誘電体（転写材支持体）を介さずに転写が行われる。」
（イ・第１４段落）「・・・転写装置７は、コロナ放電器または帯電ローラもしくは帯電ブラシからなり、転写材の背面からトナー像と逆極性の電荷を付与することにより感光体１上のトナー像を転写材上に転写させる。図示例では、コロナ放電器の構成の一例を示しており、コロナワイヤを囲むコロナハウジングの感光体面側および下面が開口された構成となっている。」
（ウ・第１６段落）「図示のように無端ベルト１３は転写装置７の転写作用部Ａ（および、有する場合には、分離コロナ放電器）を迂回するように張り渡されており、このため４つの回転自在なガイドローラ１４〜１７が転写装置７を囲むように配置されている。・・・転写材先端が転写材作用部Ａの手前位置に達すると、無端ベルト１３はガイドローラ１４〜１７により形成された迂回路、即ち転写装置７の裏側を走行し、転写材のみが無端ベルト１３から分離されて転写材作用部Ａに送り込まれる。・・・転写作用部Ａにおいて第１の色のトナー像を転写された転写材は転写装置７を跨ぐようにして再び無端ベルト１３上に吸着され、支持ローラ１２、下部走行部１９を通って支持ローラ１１側へ循環される。・・・」
・次に、引用文献１の発明で、上記の本願発明１の「転写の作用部」に相当する部分がどこであるかを検討する。
　引用文献１の関連する記載（前掲ｂの「実施例・画像形成装置の無端搬送ベルト・転写部Ｂの説明箇所」及び前掲ｆの「無端搬送ベルトのルート構成」、「転写部Ｂの構成」参照）から、引用文献１の発明の「転写部Ｂ」、即ち、『上の感光体と、下の帯電器（ロール状帯電ブラシ）とが近接する部位にあり、両者の間を用紙が横切る時に、感光体表面のトナー像が用紙に転写される様に形成されている部分』が、本願発明１の「転写の作用部」に相当する部分であることが明らかである。
・そこで、本願発明１と引用文献１の発明とを対比すると、
後者の「感光体」、「用紙」、「無端ベルト」、「転写部」、「電子写真装置」は、それぞれ、前者の「像形成体」、「転写材」、「転写体支持体」、「転写の作用部」、「画像形成装置」に相当し、後者の無端ベルト（転写材支持体）も、転写部（転写の作用部）と接触することなく迂回するように張り渡されていることが明らかであるから（前掲ａ〜ｆ参照）、
両者は、「像形成体に対し、潜像形成・像露光・現像・転写よりなる一連の工程を各色毎に行ない転写材支持体に支持された転写材上に各色のトナー像を重ね合わせて多色像を形成するカラー画像形成装置において、前記転写材支持体が、前記転写の作用部と接触することなく迂回するように張り渡された無端ベルトを含むことを特徴とするカラー画像形成装置。」なる全ての構成で一致する。
・ところで、審判請求人は、審判請求書に於いて、
引用文献１の発明の「帯電ブラシ」が、本願発明１の「転写の作用部」に相当するものであり、従って、引用文献１の発明の無端ベルト（転写材支持体）は、転写部（転写の作用部）に常時接触しており、迂回していない旨主張しているが、かかる主張が失当であり認められないことは上記の検討からも明白である。
・結局、本願発明１は、引用文献１記載の発明と同一といわざるを得ない。
３−２．本願発明２について
  本願発明２は、本願発明１の全ての構成を引用し、さらに「無端ベルトは転写材の幅方向に従って複数本並列して設けられている」との構成を追加したものであるが、該追加の構成も、引用文献１の発明で示されていることにすぎないから（前掲ｂの用紙搬送ベルト装置の説明箇所を参照）、やはり、引用文献１記載の発明と同一といわざるを得ない。
３−３．本願発明３について
  本願発明３は、本願発明１の全ての構成を引用し、さらに「転写材を無端ベルト上に静電吸着により支持する」との構成を追加したものであるが、該追加の構成も、引用文献１の発明で示されていることにすぎないから（前掲ｃの用紙搬送ベルトと用紙Ｐとの静電気的吸着の説明箇所を参照）、やはり、引用文献１記載の発明と同一といわざるを得ない。
３−４．本願発明４について
  本願発明４は、本願発明１の全ての構成を引用し、さらに「転写材を無端ベルト上に空気吸着により支持する」との構成を追加したものであるが、画像形成装置の無端ベルト式転写材（用紙）搬送手段において、転写材を無端ベルト上に空気吸引により支持することは、引用文献１の従来技術説明欄（前掲ｇ参照）や、引用文献２（前掲ｈ〜ｊ参照）で示されているように周知技術にすぎないから、
本願発明４は、引用文献１〜２に記載の発明及び周知技術に基づいて当業者が容易に発明をすることができたものである。
３−５．本願発明５について
　本願発明５と引用文献１の発明とを対比すると、
後者の「感光体」、「用紙」、「無端ベルト」、「転写部」、「電子写真装置」は、それぞれ、前者の「像形成体」、「転写材」、「転写体支持体」、「転写の作用部」、「画像形成装置」に相当し、後者の無端ベルト（転写材支持体）も、転写部（転写の作用部）と接触することなく迂回するように張り渡されていることが明らかであり、また、後者の無端ベルトも感光体の搬送速度と同期した速度で搬送されることが明らかであるから（前掲ａ〜ｆ参照）、
両者は、「繰り返し搬送されるドラムまたはベルト状の感光体と、感光体表面を一様に帯電する帯電器と、帯電された感光体上に像露光または光信号を照射して、静電像を形成する像照射装置と、各色に対応する複数の現像器を有しこの現像器の１つを選択的に使用して当該色のトナー像を形成する現像装置と、感光体上に形成されたトナー像を転写材上に転写する転写装置と、該転写装置の転写作用部に転写材を繰り返し搬送する転写材支持装置とを有し、前記転写材支持装置は、複数の支持ローラにより張架され感光体の搬送速度と同期した速度で搬送される無端ベルトと、この無端ベルト上に前記転写材を吸着させるための吸着装置とを有し、前記無端ベルトは前記転写装置の転写作用部と接触することなく迂回するように張架され前記転写作用部に転写材のみを搬送するようにしたことを特徴とするカラー画像形成装置。」なる全ての構成で一致する。
　結局、本願発明５は、引用文献１記載の発明と同一といわざるを得ない。
４．むすび
　以上のことから、本願発明１〜３、５は、いずれも、引用文献１記載の発明と同一であり、特許法第２９条第１項第３号に該当し、特許を受けることができない。
　また、本願発明４は、引用文献１〜２記載の発明及び周知技術に基づいて、当業者が容易に発明をすることができたものであり、特許法第２９条第２項の規定により特許を受けることができない。
　よって、結論のとおり審決する。